(57)【要約】  コンテンツ・アドレス・ストレージ・デバイスにあるアプリケーション特有マネージメント・ポリシーの実行を開示する。ある実施例を挙げると、コンテンツ・アドレス・ストレージ・デバイスに記憶された各データオブジェクトは、複数のデータセットの１つに関連づけられる。対応のデータセット特有マネージメント・ポリシーは、前記複数のデータセットの少なくとも各サブセットに関連づけられる。適用可能なデータセット特有マネージメント・ポリシーは、対応のデータセット特有マネージメント・ポリシーに関連づけていた各データセットのデータオブジェクトに適用される。【選択図】図１
2008519361.tif 000002
【特許請求の範囲】
【請求項１】
コンテンツ・アドレス・ストレージ・デバイスに記憶されたデータに関して１以上のデータセット特有マネージメント・ポリシーを実行する方法であって、
前記コンテンツ・アドレス・ストレージ・デバイスに記憶された各データオブジェクトを複数のデータセットの１つに関連づける処理と、
前記複数のデータセットの少なくとも各サブセットに、対応のデータセット特有マネージメント・ポリシーを関連づける処理と、
対応のデータセット特有マネージメント・ポリシーをそのデータセットに関係するデータセット特有マネージメント・ポリシーに関連づけていた各データセットのデータオブジェクトに適用する処理と、を含む方法。
【請求項２】
前記コンテンツ・アドレス・ストレージ・デバイスに記憶された各データオブジェクトを複数のデータセットの１つに関連づける処理が、各データオブジェクトと、そのデータオブジェクトを受信したアプリケーションとを関連づけることを含む請求項１に記載の方法。
【請求項３】
前記コンテンツ・アドレス・ストレージ・デバイスに記憶された各データオブジェクトを複数のデータセットの１つに関連づける処理が、各データオブジェクトと、そのデータオブジェクトを受信したアプリケーションに関係するアプリケーション識別子とを関連づけることを含む請求項１に記載の方法。
【請求項４】
受信したデータセット特有マネージメント・ポリシーを受信する処理と、
前記受信したデータセット特有マネージメント・ポリシーが適用する対応のデータセットと、当該受信したデータセット特有マネージメント・ポリシーとを関連づける処理と、をさらに含む請求項１に記載の方法。
【請求項５】
前記受信したデータセット特有マネージメント・ポリシーが適用する対応のデータセットと、当該受信したデータセット特有マネージメント・ポリシーとを関連づける処理が、ポリシーテーブルにエントリを作ることを含む請求項４に記載の方法。
【請求項６】
前記受信したデータセット特有マネージメント・ポリシーが適用する対応のデータセットと、当該受信したデータセット特有マネージメント・ポリシーとを関連づける処理が、前記データセット特有マネージメント・ポリシーを受信した送信アプリケーションと、前記受信したデータセット特有マネージメント・ポリシーとを関連づけることを含む請求項４に記載の方法。
【請求項７】
前記マネージメント・ポリシーは、データ保存ポリシーを含む請求項１に記載の方法。
【請求項８】
コンテンツ・アドレス・ストレージ・デバイスであって、
(a)１以上のデータセット特有マネージメント・ポリシーを記憶するよう構成されたメモリと、
(b)(i)前記コンテンツ・アドレス・ストレージ・デバイスに記憶された各データオブジェクトを複数のデータセットの１つに関連づけ、
(ii)前記複数のデータセットの少なくとも各サブセットに、対応のデータセット特有マネージメント・ポリシーを関連づけ、
(iii)対応のデータセット特有マネージメント・ポリシーをそのデータセットに関係するデータセット特有マネージメント・ポリシーに関連づけていた各データセットのデータオブジェクトに適用するよう構成されたプロセッサと、
を備えたコンテンツ・アドレス・ストレージ・デバイス。
【請求項９】
各データオブジェクトと、そのデータオブジェクトを受信したアプリケーションとを関連づけることによって、前記コンテンツ・アドレス・ストレージ・デバイスに記憶された各データオブジェクトを複数のデータセットの１つに関連づけるよう前記プロセッサを構成した請求項８に記載のコンテンツ・アドレス・ストレージ・デバイス。
【請求項１０】
各データオブジェクトと、そのデータオブジェクトを受信したアプリケーションに関係するアプリケーション識別子とを関連づけることによって、前記コンテンツ・アドレス・ストレージ・デバイスに記憶された各データオブジェクトを複数のデータセットの１つに関連づけるよう前記プロセッサを構成した請求項８に記載のコンテンツ・アドレス・ストレージ・デバイス。
【請求項１１】
前記プロセッサが、更に、
受信したデータセット特有マネージメント・ポリシーを受信し、且つ
前記受信したデータセット特有マネージメント・ポリシーが適用する対応のデータセットと、当該受信したデータセット特有マネージメント・ポリシーとを関連づけるように構成された請求項８に記載のコンテンツ・アドレス・ストレージ・デバイス。
【請求項１２】
前記プロセッサが、ポリシーテーブルにエントリを作ることによって、
前記受信したデータセット特有マネージメント・ポリシーが適用する対応のデータセットと、当該受信したデータセット特有マネージメント・ポリシーとを関連づけるように構成された請求項１１に記載のコンテンツ・アドレス・ストレージ・デバイス。
【請求項１３】
前記プロセッサが、前記データセット特有マネージメント・ポリシーを受信した送信アプリケーションと、前記受信したデータセット特有マネージメント・ポリシーとを関連づけることによって、
前記受信したデータセット特有マネージメント・ポリシーが適用する対応のデータセットと、当該受信したデータセット特有マネージメント・ポリシーとを関連づけるように構成された請求項１１に記載のコンテンツ・アドレス・ストレージ・デバイス。
【請求項１４】
前記マネージメント・ポリシーは、データ保存ポリシーを含む請求項８に記載のコンテンツ・アドレス・ストレージ・デバイス。
【請求項１５】
コンテンツ・アドレス・ストレージ・デバイスに記憶されたデータに関して、１以上のデータセット特有マネージメント・ポリシーを実行する、コンピュータ読み出し可能な媒体に組み込まれたコンピュータプログラム製品であって、
前記コンテンツ・アドレス・ストレージ・デバイスに記憶された各データオブジェクトを、複数のデータセットの１つに関連づける命令と、
前記複数のデータセットの少なくとも各サブセットに、対応のデータセット特有マネージメント・ポリシーを関連づける命令と、
対応のデータセット特有マネージメント・ポリシーをそのデータセットに関係するデータセット特有マネージメント・ポリシーに関連づけていた各データセットのデータオブジェクトに適用する命令と、を含むコンピュータプログラム製品。
【請求項１６】
前記コンテンツ・アドレス・ストレージ・デバイスに記憶された各データオブジェクトを複数のデータセットの１つに関連づける命令が、各データオブジェクトと、そのデータオブジェクトを受信したアプリケーションとを関連づけることを含む請求項１５に記載のコンピュータプログラム製品。
【請求項１７】
前記コンテンツ・アドレス・ストレージ・デバイスに記憶された各データオブジェクトを複数のデータセットの１つに関連づける命令が、各データオブジェクトと、そのデータオブジェクトを受信したアプリケーションに関係するアプリケーション識別子とを関連づけることを含む請求項１５に記載のコンピュータプログラム製品。
【請求項１８】
受信したデータセット特有マネージメント・ポリシーを受信する命令と、
前記受信したデータセット特有マネージメント・ポリシーが適用する対応のデータセットと、当該受信したデータセット特有マネージメント・ポリシーとを関連づける命令と、をさらに含む請求項１５に記載のコンピュータプログラム製品。
【請求項１９】
前記受信したデータセット特有マネージメント・ポリシーが適用する対応のデータセットと、当該受信したデータセット特有マネージメント・ポリシーとを関連づける命令が、ポリシーテーブルにエントリを作ることを含む請求項１８に記載のコンピュータプログラム製品。
【請求項２０】
前記受信したデータセット特有マネージメント・ポリシーが適用する対応のデータセットと、当該受信したデータセット特有マネージメント・ポリシーとを関連づける命令が、前記データセット特有マネージメント・ポリシーを受信した送信アプリケーションと、前記受信したデータセット特有マネージメント・ポリシーとを関連づけることを含む請求項１８に記載のコンピュータプログラム製品。
【請求項２１】
前記マネージメント・ポリシーは、データ保存ポリシーを含む請求項１５に記載のコンピュータプログラム製品。
【発明の詳細な説明】
【技術分野】
【０００１】
本発明は、概して言えばデータ記憶に関係し、より詳しくは、記憶デバイスをアドレスしたコンテンツにおいてアプリケーション特有のマネージメント・ポリシーを実行することが開示されている。
（関連出願）
「CONTENT ADDRESSED STORAGE DEVICE WITH WEB SERVICES INTERFACE」という表題の同時係属の米国出願が、引用としてここにその全体を組み入れられ、また、「CONTENT ADDRESSED STORAGE DEVICE CONFIGURED TO MAINTAIN CONTENT ADDRESS MAPPING」という表題の同時係属の米国出願が、引用としてここにその全体を組み入れられる。
【背景技術】
【０００２】
コンテンツ・アドレス・ストレージ（ＣＡＳ）デバイスは、典型的には多くのソースからの固定コンテンツをネットワーク経由のストレージサーバーに記憶する。マサチューセッツ州のHopkintonにあるＥＭＣTM社で製造販売されているCenteraTMＣＡＳデバイスはその一例である。通常、アプリケーションは記憶されるべきデータをＣＡＳデバイスへ送信する。ＣＡＳデバイスは、記憶されるコンテンツの少なくとも一部に基づいて“コンテンツ・アドレス（ＣＡ）”を計算することにより、記憶場所を決定する。その後、ＣＡＳデバイスは、その選択された場所にコンテンツを記憶し、データを送信したアプリケーションにそのコンテンツ・アドレスを戻す。コンテンツ・アドレスはクレーム確認などに用いられ、記憶アプリケーション（即ち、理論的には、ＣＡを提供する別のアプリケーション）が前に記憶したコンテンツを検索できるようにする（そして、あるときは、削除などの制限されたオペレーションを実行する）。
【０００３】
典型的なＣＡＳデバイスの場合、同じマネージメント・ポリシー（例えば、データ保持ポリシー）がソースにかかわらず全てのデータに適用される。典型的なＣＡＳデバイスは、本来のファイルシステムや、特定のソース（例えば、アプリケーション）から来る特有のデータオブジェクトを識別する他の方法を何ら有していない。しかしながら、多くの場合、異なるポリシーが、コンテンツ、及び/又はアプリケーション若しくはデータを生成したり記憶したりする他のプロセス等に左右されながら異なるデータに適用され得る。最新のＣＡＳデバイスの場合、より制限的な（例えば、最長保持期間）ポリシーが全データに適用され、保持されているデータに結果として表れる。例えば、要求されたものより長い保持期間、不必要に記憶ソースを拘束し、それ以外で他のデータを記憶するためにその記憶ソースを使用する。それゆえ、データ保持ポリシーなどのアプリケーション（又は他のデータセット）特有のマネージメント・ポリシーを、ＣＡＳデバイスに記憶されたデータに対して適用する方策に向けての必要性があった。
【発明の開示】
【課題を解決するための手段】
【０００４】
本発明は様々な方法で実現し得る。様々な方法とは、プロセス、装置、システム、合成物、あるいは、コンピュータで読み取り可能なメディア（例えば、コンピュータ読み取り可能記録媒体、又は、プログラム命令が光もしくは電気的な通信リンクに送られるネットワーク等）を含むものである。本明細書では、このような実現方法や本発明がとり得る他の形式を技術として言及する。一般に、開示された処理ステップの順序は発明の範囲で変わり得る。
【０００５】
本発明の一又は複数の実施例の詳細な説明が、本発明の原理を示した添付図に従って開示される。そのような実施例に関連して本発明を記載するが、本発明は開示した実施例に限るものではない。発明の範囲は請求項のみにより限定され、発明は多数の代替案、修正、あるいは均等物を含む。本発明の完全な理解を得るため、以下に幾つかの具体的な詳細を説明する。これらの詳細は例を示すためのものであり、本発明は、説明した詳細に関わらず請求項に従い実現され得る。明確さを目的として、本発明を不必要に不明瞭にしないようにするため、本発明に関連する技術分野で知られている技術構成については詳細には説明しない。
本発明の様々な実施例は、以下の詳細な説明及び添付の図面において開示される。
【発明を実施するための最良の形態】
【０００６】
本発明は、コンテンツ・アドレス・ストレージ（ＣＡＳ）デバイスにおいてアプリケーション特有のマネージメント・ポリシーを実行することを開示する。一実施例を挙げると、コンテンツ・アドレス・ストレージ・デバイスに記憶された各データオブジェクトが、複数のデータセットの１つに関連する。対応のデータセット特有のマネージメント・ポリシーが、少なくとも上記複数のデータセットの各サブセットに関連する。適用され得るデータセット特有のマネージメント・ポリシーを各データセットのデータオブジェクトに適合させ、上記データセットのデータオブジェクトに対応のデータセット特有のマネージメント・ポリシーを関連づける。
【０００７】
図１は、コンテンツ・アドレス・ストレージ（ＣＡＳ）デバイスにおいてアプリケーション特有のマネージメント・ポリシーを実行する実施例で使用されるプロセスのフローチャートである。保存（又は他のデータマネージメント）ポリシー、或いは特定のアプリケーション（又は他のソース）によってＣＡＳデバイスに記憶されるデータに適用できるルールを受信する（１０２）。ルール（又はポリシー）は、ＣＡＳデバイスでアプリケーション（又は他のソース）と関連づけられる（１０４）。ある実施例では、テーブル、データベース、又はそのようなルールやポリシーを追跡するために維持された他のデータリポジトリにある１以上のエントリを作ることによって、保存（又は他のマネージメント）ルール或いはポリシーを対応アプリケーション（又は他のデータソース）と関連づける。
【０００８】
図２は、アプリケーション特有のマネージメント・ポリシーを実行するように構成されたＣＡＳデバイスでデータを受信し且つ処理する実施例において使用されるプロセスのフローチャートである。データを受信する（２０２）。このデータを記憶する（２０４）。ある実施例の場合、データを記憶することは、データコンテンツの少なくとも一部に基づきコンテンツ・アドレスを計算すること、及びコンテンツ・アドレスに関連した記憶ロケーションにデータを記憶することを含む。ＣＡＳデバイスにデータを記憶した記憶ロケーションに関連したコンテンツ・アドレスを、ＣＡＳデバイス上でデータを送信したアプリケーション（又は他のソース）と関連づける（２０６）。ある実施例においては、２０６は、テーブル又はＣＡＳデバイス上の送信アプリケーション（又は他のソース）と関連した他のデータリポジトリ内に、コンテンツ・アドレスを送信アプリケーション（又は他のソース）と関連づけるエントリを作ることを含む。日付／時刻などのデータが記憶され、付加的情報も記録される実施例もある。
【０００９】
ある実施例の場合、送信アプリケーション（又は他のソース）がコンテンツマップ(content map)を維持するようＣＡＳデバイスを構成する。このコンテンツマップは、ＣＡＳデバイス上のアプリケーションによって記憶された各データオブジェクトに関するコンテンツ・アドレスを、対応のローカルデータオブジェクト識別子（例えば、ファイル名及び／又はパス）と関連づけ、上記識別子によって、データオブジェクトが送信アプリケーションに関連したローカルホスト上で既知となる。これについては、引用によりここに組み入れられる同時係属の米国特許出願（代理人整理番号No.LEGAP034）に詳細に記載されている。ある実施例において、コンテンツ・アドレスと２０６で行われる送信アプリケーションとの間の関連性は、送信アプリケーションのためにコンテンツマップにエントリを作ることを含む。オペレーションの結果は送信アプリケーション（又は他のソース）へ戻される（２０８）、その後、プロセスは終了する。ある実施例では、データが正常に記憶される場合、レポートはオペレーションが正常に完了したことの表示を含んでいる。
【００１０】
図３は、アプリケーション特有のマネージメント・ポリシーを実行する実施例で使用されるＣＡＳデバイスを説明するブロック図である。関連するアプリケーション識別番号“２３４”を有するアプリケーションＡ（３０２）と、関連するアプリケーション識別番号“４５６”を有するアプリケーションＢ（３０４）は、ネットワーク（例えば、ＴＣＰ／ＩＰネットワーク）３０６を介してＣＡＳデバイス３０８と接続する。アプリケーション識別子（例えば、“２３４”及び“４５６”）がＣＡＳデバイス３０８で生成され、記憶することになっているＣＡＳデバイス３０８にデータを送信する各アプリケーションを一意的に識別する。他の実施例の場合、送信アプリケーション自身、又はサードパーティは、アプリケーション識別子を生成することができる。
【００１１】
ＣＡＳデバイス３０８は、アプリケーション３０２及び３０４などのアプリケーションによる記憶のために送信されたデータオブジェクトを記憶する。ＣＡＳデバイス３０８は、どのデータオブジェクトが送信アプリケーション又は他のソースによって送信されたかを追跡するように構成されている。図３に示す例の場合、ＣＡＳデバイス３０８に記憶されたデータオブジェクト３１２の第１のセットを含むデータオブジェクトがアプリケーションＡ（３０２）と関連し、そして、データオブジェクト３１４の第２のセットを含むデータオブジェクトがアプリケーションＢ（３０４）と関連する。
【００１２】
ＣＡＳデバイス３０８は、ポリシーテーブル３１６を含み、そこではＣＡＳデバイス３０８にデータを記憶した各アプリケーションに関連した保存（又は他の管理）ポリシーがリスト化されている。例示したように、ポリシーテーブル３１６は、アプリケーションＡ（３０２）によって記憶されたデータが１２ヶ月間保存されることになっているのに対して、アプリケーションＢ（３０４）によって記憶されたデータがほんの６週間しか保存されないことを示す。ＣＡＳデバイス３０８は、ＣＡＳデバイス３０８に記憶されたデータオブジェクトをモニタリングすることによって、そしてデータオブジェクトに関連するデータセット（例えば、送信アプリケーション）に適用できる保存期間がいったん満了するとデータオブジェクトを削除することによって（または適用できるポリシーに依存して他の適切なアクションをとることによって）、ポリシーテーブル３１６にリスト化された保存（又は他の管理）ポリシーを実行するように構成される。例えば、保存ポリシーの場合、ある実施例では、ＣＡＳデバイス３０８は各セットのデータオブジェクトを周期的にスキャンし、データセットに関連づけられた保存期間よりも長い期間、ＣＡＳデバイス３０８に保存されてきたそれらのオブジェクトを削除するよう構成される。詳細については後述する。
【００１３】
図３に示した例において、異なる管理（例えば、保存）ポリシーが、各データオブジェクトに関連した個々の送信アプリケーションに基づいて異なるデータオブジェクトに適用される一方で、他の実施例では、異なる管理ポリシーが、他の及び／又は付加的な特性によって定義された異なるデータセット上で実行され得る。上記特性としては、例えば、コード、フラグ、又は送信ソースによって提供される指示に基づく特性があり、特定のデータオブジェクトを１以上のデータセット特有のマネージメント・ポリシーを実行する目的で、送信アプリケーションの識別以外を基礎として関連づけてデータセットを指示する。
【００１４】
ある実施例では、ＣＡＳデバイス３０８は、ネットワークインタフェースカード（ＮＩＣ）などの通信インタフェースを有し、ネットワーク３０６経由でアプリケーション３０２及び３０４との通信を容易にする。さらにＣＡＳデバイス３０８は、ポリシーテーブル３１６を記憶するためのメモリと、どのデータが送信アプリケーション（又は他のソース）に関連しているかを追跡するための１以上のコンテンツマップとを含み、１以上の記憶ノードはアプリケーション３０２及び３０４（例えば、データセット３１２及び３１４）などのアプリケーションによってＣＡＳデバイス３０８に送信されたデータを記憶するよう構成される。また、１以上のプロセッサがＣＡＳデバイス３０８のデータ記憶、復元、及び管理機能、並びにここで説明したアプリケーション特有のマネージメント・オペレーションを実行するよう構成される。１以上のプロセッサは、上述した機能及びオペレーション、及び／又は特定用途向け集積回路、フィールドプログラマブル論理デバイス、又は同様に構成された他のデバイスを実行するソフトウェアによって構成された汎用プロセッサ（例えば、ＣＰＵ）を含むことができる。
【００１５】
図４は、コンテンツ・アドレス・ストレージ（ＣＡＳ）デバイスに記憶されたデータに対してアプリケーション（又は他のデータセット）特有のマネージメント・ポリシーを適用する実施例で使用されるプロセスを説明するフローチャートである。このプロセスは第１のデータセット、例えば、特定アプリケーションによってＣＡＳデバイスに記憶したデータオブジェクトを含むデータセットにより開始する（４０２）。データセットのデータオブジェクトに適用できる保存（又は他の管理）ルール又はポリシーが既知であるか否かが判断される（４０４）。データセット特有ルール又はポリシーが未知の場合（例えば、図３のポリシーテーブル３１６などのポリシーテーブルにあるデータセットに関するエントリがない）、デフォルトルールが適用される（４０６）。セット内の各データオブジェクトをチェックし、例えば、デフォルトの保存期間以上そのデータが記憶されているか否かを判断する。仮にデータセット特有ルール又はポリシーが既知の場合（４０４）、データセット特有ルール又はポリシー（例えば、保存期間）がそのデータセット内のデータオブジェクトに対して適用される（４０８）。適用可能なデータセット特有ルール又はデフォルトルールがひとたび適用されたならば、まさに処理されたデータセットが図４（４１０）のプロセスの現在の繰り返しにおいて処理されることが要求された最後のデータセットであるかを判断する。ある実施例では、図４のプロセスを周期的（例えば、１時間ごと、１日ごと、１週間ごとなど）に実行する。そして、ＣＡＳデバイスに記憶されたデータセットのすべては上述した期間を基本に周期的に繰り返す。まさに完了したデータセットが処理された最後のものではないとき、図４のプロセスは次のデータセットへ進み処理され（４１２）、そして４０４〜４１０がそのデータセットのために繰り返される。まさに完了したデータセットが処理された最後のものであるとき（４１０）、プロセスは終了する（４１４）。
【００１６】
図５は、ＣＡＳデバイスに記憶されたデータのセットに対してデータセット（例えば、アプリケーション）特有のマネージメント（例えば、保存）規則又はポリシーを適用する実施例で使用されるプロセスのフローチャートである。図５のプロセスは、図４のインプリメント４０６及び４０８に対する一実施例で使用される。このプロセスはデータセットの第１のデータオブジェクトを処理することによって開始する（５０２）。データオブジェクトが、適用できる保存期間よりも長い期間、ＣＡＳデバイスに記憶されているか否かを判断する（５０４）。もしそうであれば、データオブジェクトは削除される（５０６）。そうでない場合は、データオブジェクトは維持される（５０８）。まさに処理されたデータオブジェクトがそのセットの最後のデータオブジェクトであるか否かを判断する（５１０）。もしそうでない場合、プロセスはセット内の次のデータオブジェクトに進み（５１２）、そして５０４〜５１０がそのデータオブジェクトに関して繰り返される。まさに処理されたデータオブジェクトがそのセットの最後のデータオブジェクトである場合（５１０）、プロセスは終了する（５１４）。
【００１７】
ここで述べたアプローチを用いて、ＣＡＳデバイスにデータを記憶するアプリケーションが上述したデータに関する保存及び／又は他の管理ポリシーを実行するよう構成されることを要しない。そのかわりに、ＣＡＳデバイス自体は、送信アプリケーション（又は他のデータセット）特有さを基本として上述したポリシーを実行することができる。
【００１８】
先の実施例においては、理解を明確にすることを目的として詳細に説明したのであるが、本発明はこの詳細さに限定されるものではない。本発明を実行する多くの代替的な方法がある。開示した明細書は、限定的に解釈されるものではなく例示的にみなされるものである。
【００１９】
本発明は添付図面における例示された方法で説明されたが、これに限定されるものではない。なお、図面においては、同様の要素には同一の参照番号を付している。
【図面の簡単な説明】
【００２０】
【図１】コンテンツ・アドレス・ストレージ（ＣＡＳ）デバイスにおいてアプリケーション特有のマネージメント・ポリシーを実行する実施例で使用されるプロセスのフローチャートである。
【図２】アプリケーション特有のマネージメント・ポリシーを実行するように構成されたＣＡＳデバイスでデータを受信し且つ処理する実施例において使用されるプロセスのフローチャートである。
【図３】アプリケーション特有のマネージメント・ポリシーを実行する実施例で使用されるＣＡＳデバイスを説明するブロック図である。
【図４】コンテンツ・アドレス・ストレージ（ＣＡＳ）デバイスに記憶されたデータに対してアプリケーション（又は他のデータセット）特有のマネージメント・ポリシーを適用する実施例で使用されるプロセスを説明するフローチャートである。
【図５】ＣＡＳデバイスに記憶されたデータのセットに対してデータセット（例えば、アプリケーション）特有のマネージメント（例えば、保存）規則又はポリシーを適用する実施例で使用されるプロセスのフローチャートである。
【図１】
2008519361.tif 000003
【図２】
2008519361.tif 000004
【図３】
2008519361.tif 000005
【図４】
2008519361.tif 000006
【図５】
2008519361.tif 000007
【国際調査報告】
2008519361.tif 000008